(57)【要約】      （修正有）【課題】既成段ボール箱の収容容積を縮小する際に、その段ボール箱の上縁から所要寸法低めるために箱の上部を内折りするための弱め部（罫線）を描く罫線作成用の定規を提供する。【解決手段】定規１は、既成の段ボール箱を利用して収容物の上側に生じる空白を失くすために所要高さに段ボール箱の上縁に沿って移動可能な位置決め片２０を一側面に備え、下部に罫線作成具（ナイフカッター）を差し込んで案内する案内孔１１を備えた基板１０からなり、手でもって箱上縁に沿い移動させることで段ボール箱の内側面にフラップ折り曲げを容易にする罫線を引くことができる。【選択図】図１
0003228194.tif 000002
【実用新案登録請求の範囲】
【請求項１】
下端部に幅方向に形成される横長の罫線形成具を挿入して案内する罫線形成具案内孔を備え、中間部に所定のピッチで複数の掛け止め孔を上下方向に平行して二列設けられ、これら掛け止め孔列の内または外側で並行する位置決め案内孔を設けてなる長方形の基板と、
前記基板の一側面に沿って前記縦方向の位置決め案内孔に案内保持されて前記罫線形成具案内孔と対象となる箱の上頂部との位置寸法を設定する位置決め片とからなり、
前記位置決め片に設けた係止爪を選択的に前記基板掛け止め孔に係合させることで対象となる箱の上頂部から前記罫線形成具案内孔までの寸法設定が行えるように構成されていることを特徴とする罫線作成用の定規、
【請求項２】
基板および位置決め片は薄板材で形成され、基板の中央部分には上下方向に指掛かり孔を設けてある請求項１に記載の罫線作成用の定規。
【考案の詳細な説明】
【技術分野】
【０００１】  この考案は、例えば既存の包装用段ボール箱の内容積を変更して、収容物を安定的に収納できるとともに、梱包時の容積を簡単な操作で縮小して合理的に輸送コストの低減を図ることができるようにする罫線作成用の定規に関するものである。
【背景技術】
【０００２】  従来、各種物品を梱包するのに使用されている段ボール箱は、一般に所定寸法に仕上げられたものが用いられている。そのために、内容積が収容する梱包物に合わせたものである場合を除いて余裕のある寸法のものを使用することが多い。しかしながら、汎用サイズの段ボール箱の場合、箱寸法のうち高さ方向に余裕が生じると、上下方向に収容物を安定させるために余分な緩衝材などを用いる必要が生じることになる。【０００３】  また、汎用サイズの段ボール箱を使用して物品を梱包するにあたり上下方向の寸法に余裕がありすぎると、当然のことながら包装した段ボール箱の寸法が必要以上に大きくなることから、それに見合った輸送費が発生し、経済性が損なわれるという問題がある。【０００４】  このようなことから、汎用サイズの段ボール箱を使用して収容した物品より上側に余剰（空白）が発生する場合、既製の箱に手を加えて高さ寸法が収容物の高さに見合う寸法となるように、箱の４辺上部を内側に折り込んで嵩低く梱包するような方法を採用している。こうすることにより、前述の問題点を解決することが可能になる。しかしながら、既製の箱の各側板に手を加えて折り曲げる操作は、構造上強度を維持するため段ボール板材で縦方向に配されているコルゲート部分を交差する向きに折り曲げることになり、その折り曲げを円滑にすることが困難である。そのために、従来多くは収容物の上折り曲げ側に多くの空白が生じることがあっても箱をそのまま使用して不都合な状態で使用されているという問題点がある。
【先行技術文献】
【特許文献】
【特許文献】特になし。
【考案の開示】
【考案が解決しようとする課題】
【０００５】  この考案は、前述のような問題点を解消するためになされたもので、既存の段ボール箱の開口縁に沿わせて高さ方向寸法で各側板の内面に折り曲げのための罫線を簡単に創出し、既製段ボール箱の容積を被梱包物の収容量に応じて嵩低く梱包できるようにすることができる、罫線作成用の定規を提供することを目的とするものである。
【課題を解決するための手段】
【０００６】  前記目的を達成するために、この考案による罫線作成用の定規は、
下端部に幅方向に形成される横長の罫線形成具を挿入して案内する罫線形成具案内孔を備え、中間部に所定のピッチで複数の掛け止め孔を上下方向に平行して二列設けられ、これら掛け止め孔列の内または外側で並行する位置決め案内孔を設けてなる長方形の基板と、
前記基板の一側面に沿って前記縦方向の位置決め案内孔に案内保持されて前記罫線形成具案内孔と対象となる箱の上頂部との位置寸法を設定する位置決め片とからなり、
前記位置決め片に設けた係止爪を選択的に前記基板掛け止め孔に係合させることで対象となる箱の上頂部から前記罫線形成具案内孔までの寸法設定が行えるように構成されていることを特徴とするものである。【０００７】  前記考案において、基板および位置決め片は薄板材で形成され、基板の中央部分には上下方向に指掛かり孔を設けておくのが好ましい。なお、前記指掛かり孔の形状については上下方向の長方形、あるいは楕円形その他、手で保持するのに都合のよい形状とすることは任意である。
【考案の効果】
【０００８】  この考案によれば、定規を使用することで既成の段ボール箱を、その所定高さ寸法より少ない収容物の収容高さ位置に簡単に折り曲げのための弱め部を罫線として簡単に創出できるので、収容目的物に対応した寸法で箱形成部分を変形させて、箱全体の容積を縮小する操作が箱自体を傷めることなく操作が容易になる。その結果、梱包した段ボール箱の容積変更で輸送コストが低減できるという効果がある。
【図面の簡単な説明】
【０００９】
【図１】この考案の罫線作成用の定規の全体斜視図である。
【図２】位置決め片の斜視図である。
【図３】位置決め片の係止爪を基板の掛け止め孔から外して位置を移動させるための態様を表す要部の図である。
【図４】使用態様を表す図である。
【図５】カッターナイフによる罫線作成の態様を表す模式図である。
【図６】嵩低く梱包された段ボール箱を表す図である。
【考案を実施するための形態】
【００１０】  次にこの考案の罫線作成用の定規の具体的な実施の形態について、図面を参照しつつ説明する。
【００１１】  この実施形態の罫線作成用の定規１は、手持ち容易な外形寸法で薄板材（この実施形態ではプラスチック板）にて形成される長方形の基板１０と、この基板１０の一側面に沿って図上で上下方向に選択的に位置変更ができるように取付く位置決め片２０とで構成されている。
【００１２】  前記基板１０は、実施形態において長方形のプラスチックの薄板であり、図１に例示するように、下端部に幅方向にカッターナイフ（例えば折る刃カッター（商品名）罫線形成具に相当）の刃先を挿入して罫線が形成容易な極細幅のスリットにてなる罫線形成用案内孔１１（罫線形成具案内孔）が設けてある。なお、この案内孔１１の周辺には変形を防止して安定維持できるように周囲を所定寸法の補強板１２にて補強してある。
【００１３】  さらに、前記基板１０の中間部には、左右対称に所定のピッチで複数の位置決め片の掛け止め孔１３が、前記罫線作成用案内孔１１に直交する向きで上下方向に平行して設けてある。なお、前記掛け止め孔１３は後述する位置決め片２０の係止爪２３が受け入れできる寸法の角形孔とされている。そして、その掛け止め孔１３の配列位置の外側に平行して縦長の位置決め片案内孔１４，１４が設けてある。
【００１４】  そして、前記基板１０の中央線上には、移動把持用の指掛け孔１６が縦長に上下二段に分けて設けてある。この指掛け孔１６を二段に分離してあるのは全体強度を維持できるようにしたものである。なお、この指掛け孔１６については実施形態で表すような角孔のほかに、長楕円形やそのほかの形状にしてもよい。
【００１５】  一方、位置決め片２０は、図１及び図２に示されるようにプラスチック薄板を断面Ｌ字型に折り曲げ線２２を介して屈曲形成されて、長さが前記基板１０の幅よりやや短い寸法で、前記基板０に設けられた位置決め片案内孔１４，１４に沿って上下方向に移動可能なよう連結片１８によって取り付けられている。前記連
0003228194.tif 000003
そして、この位置決め片２０がＬ字型となるようにした折り曲げ線２２上に、前記基板１０の掛け止め孔１３に対応して係止する係止爪２３，２３が受け部２１の背面側に突出するように設けてある。なお、この係止爪２３の突出部分は折り曲げ線２２が介在しないようにされている。
【００１６】  このように形成された罫線作成用の定規１は、主として既存の段ボール箱Ａの容積変更を行う際に使用される。その使用態様は、図４に例示するように、対象とする段ボール箱Ａの開口部四辺の全フラップａを外側方に開いた状態で、定規１の位置決め片２０が箱の上縁ｂに受け止められるようにして箱内面に沿わせる。この際、当該段ボール箱Ａの高さ方向に低くする寸法を設定するために、前記位置決め片２０の受け部２１下面から罫線形成用案内孔１１までの寸法ｈ’を段ボール箱Ａに収容する物品（被梱包物）の収容高さ相当寸法になるよう、位置決め片２０を上下方向に移動させて位置決めする。
【００１７】  位置決め片２０の位置設定は、図３に要部を示すように、基板１０に支持された状態でガイドとなる受け部２１を折り曲げ線２２に沿って矢印ｆで示すように平たく折り返すと、その折り曲げ線２２が介在しない状態の係止爪２３，２３が基板１０の掛け止め孔１３から外れた状態となるので、その状態にて位置決め案内孔１４に沿い上下方向に移動し、罫線作成用案内孔１１から位置決め片下面までの寸法ｈ′に対応する掛け止め孔１３位置で受け部２１を引き起こすことにより係止爪２３が対応する掛け止め孔１３にそれぞれ係合して位置設定される。
【００１８】  こうして罫線作成位置を設定した後は、一方の手で基板１０の指掛け孔１５に手指をかけて基板１０の姿勢を整え、他方の手でカッターナイフＢをもってその刃先を罫線形成用案内孔１１に差し込んで移動させることにより（図５参照）、段ボール箱Ａの側板における内面側のライナーに切り込み線ｃ（罫線）を形成することができる。そこで、この定規１の罫線形成用案内孔１１の長さ分切込みを付けたら、定規１をそのまま段ボール箱Ａの上縁ｂに沿って次の罫線作成位置まで移動させ、再び前記要領でカッターナイフＢを移動させて罫線ｃの追加を行う。以後、段ボール箱Ａの長さ方向に、前記操作を繰り返すことにより、一内側面に罫線ｃを作成することができる。なお、この罫線作成時には、カッターナイフＢ刃先突き出し長さを、折刃の保持金具端Ｂ′を案内孔１１の縁に宛がうことでライナーに対しての切込み深さを設定でき、コルゲート（中芯部分）には切り込まないようにすることで強度を大きく低下させることはない。
【００１９】  前記要領で段ボール箱Ａの四辺の側板にそれぞれ罫線ｃを設けることにより、段ボール箱Ａは罫線ｃ作成部分で側板の強度が弱められるので、目的の物品を箱内に収容した後、各フラップｄを内側に折り曲げる際無理なく折り曲げることができる。要するに段ボール箱Ａとしての強度を維持するように縦方向にコルゲートが配されている側板（段ボール）をその内装板（ライナー）に切り込み線（罫線ｃ）を設けることにより、当該罫線ｃ部分で強度を弱め、側板を内側に折り曲げる操作を容易にすることができる。同時に四辺を設定した高さ位置で揃えて折り曲げることになるので、無理なく箱全体の高さ寸法ｈを低くすることができる（図６参照）。なお、折り曲げによって当初よりも長くなるフラップとしては、必要に応じてその余剰部分をきりとるようにするか、あるいはそのまま重ね合わせて粘着テープで封止するようにしてもよい。
【００２０】  このように、この考案の定規１を使用することで既成の段ボール箱Ａを、その所定高さ寸法より少ない収容物の収容高さに対応した寸法に変形させて箱全体の容積を縮小する操作が箱自体を傷めることなく操作が容易になる。その結果、梱包した段ボール箱の容積変更で輸送コストが低減できるという効果がある。
【００２１】  なお、他の実施形態として、前記実施形態における基板の指掛け孔に代えて摘みを取付けるようにしてもよい。また、罫線形成具としては、前記ナイフカッターに代えて、例えばバターナイフのような扁平な部材を用いて、段ボール箱の側板に対し押し罫を付すようにすれば、段ボールに強度を損なうことなく目的を達成することもできる。
【符号の説明】
【００２２】１        定規
１０      基板
１１      罫線形成用案内孔
１３      掛け止め孔
１４      位置決め片案内孔
１８      連結片
２０      位置決め片
２１      受け部
２３      係止爪
Ａ        段ボール箱
ａ        段ボール箱の上縁
Ｂ        カッターナイフ（罫線作成具）
ｃ        罫線
【図１】
0003228194.tif 000004
【図２】
0003228194.tif 000005
【図３】
0003228194.tif 000006
【図４】
0003228194.tif 000007
【図５】
0003228194.tif 000008
【図６】
0003228194.tif 000009
【手続補正書】
【提出日】令和2年6月25日(2020.6.25)
【手続補正１】
【補正対象書類名】実用新案登録請求の範囲
【補正対象項目名】請求項１
【補正方法】変更
【補正の内容】
【請求項１】
下端部に幅方向に形成される横長の罫線形成具を挿入して案内する罫線形成具案内孔を備え、中間部に所定のピッチで複数の掛け止め孔を上下方向に平行して二列設けられ、これら掛け止め孔列の内または外側で並行する位置決め案内孔を設けてなる長方形の基板と、
前記基板の一側面に沿って前記位置決め案内孔に案内保持されて前記罫線形成具案内孔と対象となる箱の上頂部との位置寸法を設定する位置決め片とからなり、
前記位置決め片に設けた係止爪を選択的に前記基板掛け止め孔に係合させることで対象となる箱の上頂部から前記罫線形成具案内孔までの寸法設定が行えるように構成されていることを特徴とする罫線作成用の定規。
【手続補正２】
【補正対象書類名】明細書
【補正対象項目名】０００６
【補正方法】変更
【補正の内容】
【０００６】  前記目的を達成するために、この考案による罫線作成用の定規は、
下端部に幅方向に形成される横長の罫線形成具を挿入して案内する罫線形成具案内孔を備え、中間部に所定のピッチで複数の掛け止め孔を上下方向に平行して二列設けられ、これら掛け止め孔列の内または外側で並行する位置決め案内孔を設けてなる長方形の基板と、
前記基板の一側面に沿って前記位置決め案内孔に案内保持されて前記罫線形成具案内孔と対象となる箱の上頂部との位置寸法を設定する位置決め片とからなり、
前記位置決め片に設けた係止爪を選択的に前記基板掛け止め孔に係合させることで対象となる箱の上頂部から前記罫線形成具案内孔までの寸法設定が行えるように構成されていることを特徴とするものである。